(57)【要約】【課題】  家具等の収容体に設けた引出部のセキュリティ性を確保できるロック装置の提供。【解決手段】  収納体１に複数並設した引出部におけるロック装置であって、特定の引出部２における引出操作をロックするためのロック機構１２が、該特定の引出部２における前面以外の部分に設けられ、収納体１に設けた他の引出部３の移動操作等Ｃにより、前記ロック機構１２を自動的又は手動的に解除できるように構成したことを特徴とする。【選択図】  図３
2005278756.tif 000002
【特許請求の範囲】
【請求項１】
複数の引出部を並設した収容体１の引出部ロック装置において、収容体１に収容した特定の引出部２の引出操作をロックするロック機構１２を備え、該ロック機構１２は、前記収容体１の特定の引出部２における前面以外の部位に配置され、収容体１に設けた他の引出部３の移動操作または他の部材３９の移動操作により、前記特定の引出部２のロックを自動的又は手動的に解除できるように構成したことを特徴とする引出部ロック装置。
【請求項２】
請求項１において、前記ロック機構１２は、特定の引出部２に形成されたロック溝１３と、他の引出部３の移動操作により駆動する駆動体１４と、駆動体１４に設けた挿入部１５を有し、さらに前記ロック機構１２は、前記他の引出部３を一方向へ移動操作したときに、挿入部１５が前記ロック溝１３に挿入して前記特定の引出部２を自動的にロック状態とし、前記他の引出部３を他方向へ移動操作したとき、挿入部１５がロック溝１３から離脱して前記特定の引出部２のロック状態を自動的に解除するように構成されていることを特徴とする引出部ロック装置。
【請求項３】
請求項２において、前記特定の引出部２が互いに棚板８を介して縦列に複数並設され、前記ロック溝１３が各特定の引出部２にそれぞれ形成され、前記駆動体１４に複数の挿入部１５が設けられ、前記他の引出部３を一方向へ移動操作したときに、各挿入部１５が各ロック溝１３にそれぞれ挿入して各特定の引出部２を自動的にロック状態とし、前記他の引出部３を他方向へ移動操作したときに、各挿入部１５が各ロック溝１３から離脱して各特定の引出部２のロック状態を自動的に解除するように構成されていることを特徴とする引出部ロック装置。
【請求項４】
請求項１において、前記ロック機構１２は、特定の引出部２に形成されたロック溝１３と、前記収容体１に配置された駆動体１４と、駆動体１４に設けた挿入部１５を有し、さらに前記ロック機構１２は、前記他の引出部３を引き出した状態で、他の引出部３を収容する収容領域１１から前記駆動体１４を手動的に駆動操作し、前記挿入部１５をロック溝１３に挿入して前記特定の引出部２をロック状態とし、または前記挿入部１５をロック溝１３から離脱してそのロック状態を解除できるように構成されていることを特徴とする引出部ロック装置。
【請求項５】
請求項１において、前記他の引出部３の前面に開閉扉３１が設けられるとともに、それに隣接する前記特定の引出部２の前面にその引出操作をロックするための移動可能なカバー体３４が設けられ、前記ロック機構１２は、前記カバー体３４の移動操作をロックすることにより特定の引出部２の引出操作を間接的にロックするものであって、収容体１における特定の引出部２とそれに隣接する他の引出部３の境界部分に設けた駆動体１４を有し、駆動体１４は前記開閉扉３１を開けたときに駆動可能とされ、駆動体１４をロック位置に駆動操作したとき前記カバー体３４がロック状態になり、駆動体１４を解除位置にしたときにカバー体３４のロック状態が解除され、その解除状態でカバー体３４を移動することにより特定の引出部２の引出操作が可能になるように構成されていることを特徴とする引出部のロック装置。
【請求項６】
請求項１において、前記他の部材３９を構成する遮蔽体３７が設けられ、遮蔽体３７は前記特定の引出部２の前面を覆うようにして収容体１に着脱自在に設けられ、前記ロック機構１２は、前記遮蔽体３７の離脱操作をロックすることにより特定の引出部２の引出操作を間接的にロックするものであって、収容体１に設けられた一対の係止溝４１と、一方の係止溝４１に配置したバネ体３８を有し、前記遮蔽体３７の端部を前記バネ体３８に押し付けることにより係止溝４１より離脱して収容体１から取り外し、または係止溝４１に装着できるように構成したことを特徴とする引出部のロック装置。
【請求項７】
複数の引出部を並設した収容体１の引出部ロック装置において、特定の引出部２と他の引出部３を備え、特定の引出部２は引出操作が可能な第１の引出部５１とそれより下方に位置する引出操作が不可能な第２の引出部５２を有し、第１の引出部５１には、それを押し込み位置にしたときに開く可動底板２ｈが設けられ、その可動底板２ｈが開いたときに第１の引出部５１における可動底板２ｈの上に収容した収容物が第２の引出部５２内に落下するようになっており、第２の引出部５２の側部には、落下した収容物を取り出すための取出部５４が設けられ、その取出部５４に隣接して他の引出部３またはそれを収容した収容体１が配置され、前記取出部５４に設けた開閉蓋５５の開閉操作をロックすることにより特定の引出部２（５２）における収容物の取り出し操作をロックするロック機構５６が設けられ、そのロック機構５６は、前記他の引出部３またはそれを収容した収容体１と前記開閉蓋５５により構成され、他の引出部３またはそれを収容した収容体１を開閉蓋５５から引き離すように引出操作または移動操作した状態で、前記開閉蓋５５の開閉操作が可能になるように構成されていることを特徴とする引出部のロック装置。
【発明の詳細な説明】
【技術分野】
【０００１】
本発明は家具等の収容体における引出部ロック装置に関し、特に外部から容易に識別できず特定の操作をしたときに引出部のロックが解除されるように構成したロック装置に関する。
【背景技術】
【０００２】
一般家庭で使用されるタンス等の木製の家具、または事務所で使われるスチール製の家具等の収容体には、通常複数の引出部が上下または上下左右に並設される。近年注目されている民芸調家具などは、その前面に意匠性に優れた装飾金具や取手等を備えた大小さまざまな引出部が上下左右に複数並設されている。
【０００３】
従来から、引出部内に収納した貴重品や高価品を保護するため、引出部の前面にロック装置を設けることが多い。一般的なロック装置は引出部の前板に取付けた施錠部により構成され、その施錠部に設けた鍵穴に外部から鍵を差し込んでロックまたはその解除を行うようになっている。このようなロック装置としては、例えば特許文献１や特許文献２が知られている。
【０００４】
特許文献１には、複数の引出部を有する家具において、いずれか１つの引出部を引き出したときには他の引出部の引出操作ができないようにし、一度に多数の引出部が引き出されて家具が転倒しないようにしたロック装置が記載されている。特許文献２には、複数の引出部を有する家具において、１つの引出部が開放されたまま施錠されていても、その引出部を容易に閉じることができるロック装置が記載されている。
【０００５】
【特許文献１】特開２０００−２８２７３６号公報
【特許文献２】特開平９−３１７２９４号公報
【発明の開示】
【発明が解決しようとする課題】
【０００６】
しかし特許文献１または特許文献２に記載されたロック装置は、収容体の前面に施錠部の鍵穴が識別可能な状態に設けられているのでセキュリティ上の問題がある。例えば鍵を入手した第三者は容易にロックを解除して引出部の収容物を取り出すことができる。また鍵がない場合でも鍵穴から工具を差し込んでロック機構を解除もしくは破壊することも容易である。
【０００７】
一方、高価な民芸調の家具の購入者は趣味性を要求することも多く、家具前面の装飾金具の良し悪し以外に、遊び心を満足させる仕掛け等のカラクリ性を求めることも多い。従って家具前面に設けた施錠装置のみではない、カラクリ性の高い仕掛け等を組み込むことにより民芸調家具に高い付加価値を与えることができるが、従来の民芸調家具にそのようなカラクリ性に優れたものは見当たらない。
【０００８】
そこで本発明は、高いセキュリティ性を有し且つ優れたカラクリ性を兼ね備えた引出部ロック装置を提供することを課題とする。
【課題を解決するための手段】
【０００９】
前記課題を解決するための本発明に係る引出部ロック装置は、複数の引出部を並設した収容体の引出部ロック装置である。そして本ロック装置は、収容体に収容した特定の引出部の引出操作をロックするロック機構を備え、該ロック機構は収容体の前記特定の引出部における前面以外の部位に配置され、収容体に設けた他の引出部の移動操作または他の部材の移動操作により、前記特定の引出部のロックを自動的又は手動的に解除できるように構成したことを特徴とする（請求項１）。
【００１０】
上記ロック装置において、前記ロック機構は、特定の引出部に形成したロック溝と、他の引出部の移動操作により駆動する駆動体と、駆動体に設けた挿入部を有しており、前記ロック機構は、前記他の引出部を一方向へ移動操作したときに、挿入部が前記ロック溝に挿入して前記特定の引出部を自動的にロック状態とし、前記他の引出部を他方向へ移動操作したときに、挿入部がロック溝から離脱して前記特定の引出部のロック状態を自動的に解除するように構成できる（請求項２）。
【００１１】
上記ロック溝を有するロック装置において、前記特定の引出部を互いに棚板を介して縦列に複数並設し、前記ロック機構を構成するロック溝を各特定の引出部にそれぞれ形成し、前記ロック機構を構成する駆動体に複数の挿入部を設け、前記他の引出部を一方向へ移動操作したときに、各挿入部が各ロック溝にそれぞれ挿入して各特定の引出部を自動的にロック状態とし、前記他の引出部を他方向へ移動操作したとき、各挿入部が各ロック溝から離脱して各特定の引出部のロック状態を自動的に解除するように構成できる（請求項３）。
【００１２】
さらに前記ロック装置において、前記ロック機構は、特定の引出部に形成したロック溝と、前記収容体に配置した駆動体と、駆動体に設けた挿入部を有し、且つ、前記他の引出部を引き出した状態で、他の引出部を収容する収容領域から前記駆動体を手動的に駆動操作し、前記挿入部をロック溝に挿入して前記特定の引出部をロック状態とし、または前記挿入部をロック溝から離脱してそのロック状態を解除できるように構成できる（請求項４）。
【００１３】
さらに前記ロック装置において、前記他の引出部の前面に開閉扉を設けるとともに、それに隣接する前記特定の引出部の前面にその引出操作をロックするための移動可能なカバー体を設け、前記ロック機構は、前記カバー体の移動操作をロックすることにより特定の引出部の引出操作を間接的にロックするものであって、且つ、収容体における特定の引出部とそれに隣接する他の引出部の境界部分に設けた駆動体を有し、前記開閉扉を開けたときに駆動可能とされ、駆動体をロック位置に駆動操作したとき前記カバー体がロック状態になり、駆動体を解除位置にしたとき前記カバー体のロック状態が解除され、その解除状態でカバー体を移動することにより特定の引出部の引出操作が可能になるように構成することができる（請求項５）。
【００１４】
さらに前記ロック装置において、前記他の部材を構成するものとして遮蔽体が設けられ、その遮蔽体は前記特定の引出部の前面を覆うようにして収容体に着脱自在に設けられ、前記ロック機構は、前記遮蔽体の離脱操作をロックして前記特定の引出部の引出操作をロックするものであって、前記ロック機構は収容体に設けた一対の係止溝と、一方の係止溝に配置したバネ体を有し、前記遮蔽体はその端部を前記バネ体に押し付けることにより前記係止溝から離脱して収容体から取り外し、または係止溝に装着できるように構成することができる（請求項６）。
【００１５】
また前記課題を解決するための本発明に係る別の引出部ロック装置は、複数の引出部を縦列に並設した収容体の引出部におけるロック装置である。そして本装置は、特定の引出部と他の引出部を備え、特定の引出部は引出操作が可能な第１の引出部とそれより下方に位置する引出操作が不可能な第２の引出部を有し、第１の引出部には、それを押し込み位置にしたときに開く可動底板を設け、その可動底板が開いたときに第１の引出部における可動底板の上に収容した収容物が第２の引出部の内部に落下するようになっており、第２の引出部の側部には落下した収容物を取り出すための取出部を設け、その取出部に隣接して他の引出部またはそれを収容した収容体を配置し、前記取出部に設けた開閉蓋の開閉操作をロックすることにより特定の引出部における収容物の取り出し操作をロックするロック機構を設け、そのロック機構を前記他の引出部またはそれを収容した収容体と前記開閉蓋により構成し、他の引出部またはそれを収容した収容体を開閉蓋から引き離すように引出操作または移動操作した状態で、前記開閉蓋の開閉操作が可能になるように構成することができる（請求項７）。
【発明の効果】
【００１６】
本発明に係るロック装置は、特定の引出部における前面以外の部分に設けられ、特定の引出部のロックおよびその解除が他の引出部等の移動操作によって可能になる。そのため例えば貴重品等を特定の引出部に収納した場合に、特定の引出部を引き出すための鍵穴などを外部から認識することは出来ず、他の引出部を操作して初めて引出操作が可能になるのでセキュリティ性が極めて高い。また民芸調家具に適用した場合にはカラクリ性に優れたロック装置となるので、その付加価値を高めることができる。
【００１７】
上記ロック装置において、前記のように、そのロック機構を特定の引出部に形成したロック溝と、他の引出部等の移動操作により駆動する駆動体により構成した場合には、他の引出部等の移動操作に連動してワンタッチで特定の引出部のロックおよびその解除を行うことができる。
【００１８】
上記ロック装置において、前記のように、特定の引出部を互いに棚板を介して縦列に複数並設し、ロック機構を構成するロック溝を各特定の引出部にそれぞれ形成し、前記ロック機構を構成する駆動体に複数の挿入部を設けた場合には、他の引出部の移動操作に連動してワンタッチで縦列に複数並設した特定の引出部のロックおよびその解除を自動的に且つ一斉に行うことができる。
【００１９】
上記ロック装置において、前記のように、ロック機構が特定の引出部に形成したロック溝と、前記収容体に配置した駆動体と、駆動体に設けた挿入部を有する場合には、他の引出部の引出操作と駆動体の操作との２段階の手動操作により、特定の引出部のロックまたはその解除を行うことができるので、高いセキュリティ性を有するとともに、操作者にとって高い興味を惹くカラクリ性が得られる。
【００２０】
上記ロック装置において、前記のように、他の引出部の前面に開閉扉を設けるとともに、それに隣接する特定の引出部の前面にその引出操作をロックするための移動可能なカバー体を設け、カバー体の移動操作をロックすることにより特定の引出部の引出操作を間接的にロックするロック機構を設けた場合には、開閉扉やカバー体の意匠を種々変化させることにより意匠性に優れた収容体を構成できるとともに、開閉扉の開閉操作とカバー体の着脱操作との２段階の手動操作により、特定の引出部のロックまたはその解除を行うことができるので、高いセキュリティ性を有するとともに、操作者にとって高い興味を引くカラクリ性が得られる。
【００２１】
上記ロック装置において、前記のように、特定の引出部の前面にその引出操作をロックするための取外し可能な遮蔽体を設け、遮蔽体の取外し操作をロックすることにより特定の引出部の引出操作を間接的にロックするロック機構を設けた場合には、遮蔽体の意匠を種々変化させることにより意匠性に優れた収容体を構成でき、高いセキュリティ性を有するとともに、操作者にとって高い興味を惹くカラクリ性も得られる。
【００２２】
また本発明に係る他のロック装置は、特定の引出部を構成する引出操作可能な第１の引出部を引出し、その中に貴重品等の収容物を入れてから押し込むと、収容物が引出操作不可能な第２の引出部に落下して自動的に移動するので、一度収容した収容物は引出し可能な第１の引出部からは取り出せなくなる。また他の引出部やそれを収容した収容体を移動してから第２の引出部に設けた取出部の開閉蓋を開けることにより、内部の収容物を取り出すことができるので、高いセキュリティ性を有するとともに、操作者にとって高い興味を惹くカラクリ性も得られ。
【発明を実施するための最良の形態】
【００２３】
次に図面により本発明を実施するための最良の形態を説明する。図１は本発明に係る引出部ロック装置の実施形態を示す正断面図、図２は図１のＡ−Ａ断面図、図３は図１のＢ−Ｂ断面図、図４は図３の部分斜視図、図５はロック機構を構成する駆動体の斜視図、図６は民芸調の家具の１例を示す正面図、図７は図６の側面図である。
【００２４】
図６，図７に示すように、本実施形態は民芸調の家具からなる収容体１にロック装置を適用したものである。収容体１には複数の引出部が上下４段に並設され、その下端は地板４で支持される。一番上に位置する引出部が貴重品等を収納する特定の引出部２を構成し、それより下側に位置する３つの引出部がそれぞれ他の引出部３を構成する。そして本実施形態では特定の引出部２は他の引出部３より引出方向の長さが短く、その前面に円弧状の透明な飾りカバー５が旋回自在なステー５ａにより開閉可能に取付けられる。
【００２５】
収容体１の裏側は裏板６（図２）で覆われ、両側端部は一対の帆立７（図２）で覆われる。また中間部には複数の棚板８（図１，図３）が水平に設けられる。さらに収容体１の最上部には天板９が設けられる。そして天板９、一番上側の棚板８、裏板６および一対の帆立７により特定の引出部２を収容する収容領域１０（図３）が形成される。さらに一番上側の棚板８、それより下側の棚板８、裏板６および一対の帆立７により一番上側の他の引出部３を収容する収容領域１１（図３）が形成される。そして２番目以降の他の引出部３を収容する収容領域１１も上記と同様に形成される。
【００２６】
図１，図３に示すように、特定の引出部２は、前側を閉鎖する前板２ａ、両側を閉鎖する一対の側板２ｂ、後側を閉鎖する先側板２ｃおよび底側を閉鎖する底板２ｄを有し、前板２ａには引手２ｅが設けられる。また他の引出部３は、前側を閉鎖する前板３ａ、両側を閉鎖する一対の側板３ｂ、後側を閉鎖する先側板３ｃおよび底側を閉鎖する底板３ｄを有し、前板３ａには引手３ｅおよび施錠部３ｆが設けられる。
【００２７】
次に本実施形態におけるロック装置について説明する。ロック装置を構成するロック機構１２は、特定の引出部２における一方の側板２ｂの一部に形成した溝からなるロック溝１３と、他の引出部３の引出しまたは押し込み等の移動操作により昇降駆動する細長い板状の駆動体１４と、駆動体１４の上部から横方向に突出する短円柱状のダボからなる挿入部１５を備えている。なお駆動体１４の下部には前記挿入部１５と同様な摺動部１６が横方向に水平に突出している。
【００２８】
図１に示すように、帆立７には収容領域１０と収容領域１１を跨るように上下方向に延長する細長い移動溝１７が形成され、その移動溝１７の上部と前記ロック溝１３が連通している。さらに特定の引出部２のすぐ下側の他の引出部３には、その一方の側板３ｂにおける後部上縁に（すなわち先側板３ｃに近い部分の上縁に）、斜め後方に向かって下降傾斜する摺動面１８（図３）が形成されている。
【００２９】
次に上記ロック機構の作用を説明する。先ず他の引出部３が押し込み状態の位置にあるときは、他の引出部３における側板３ｂの水平な上縁面が摺動部１６を上方に押し上げているので、駆動体１４が上方に持ち上がった状態になっている。その状態では駆動体１４から横方向に突出する挿入部１５が前記ロック溝１３に挿入されて特定の引出部２の引出操作を自動的にロックする。
【００３０】
次に、他の引出部３を図示のようにある程度引き出す方向へ操作（一方向への操作）すると、前記摺動部１６は前記側板３ｂの水平な上縁面との接触から下降傾斜する摺動面１８との接触状態に移るので、駆動体１４は摺動面１８に沿って下降する。すると挿入部１５が前記ロック溝１３から離脱するので、特定の引出部２のロックが自動的に解除される。なお他の引出部３を収容体１から完全に引き抜いた場合は、駆動体１４が収容領域１１内に落下する恐れがあるので、落下防止手段を設けることが望ましい。そのような落下防止手段としては、例えば駆動体１４に横方向に突出するストッパ（図示せず）を設け、落下時にそのストッパが棚板８に設けた係止部（図示せず）に掛止してそれ以上落下しないように構成したものを挙げることができる。
【００３１】
上記のようにロック解除した特定の引出部２を再びロック状態とするには、特定の引出部２を押し込んだ状態のまま、他の引出部３を所定位置まで押し込む方向へ操作（他方向への操作）すればよい。そして図１に示すように、所望により他の引出部３の前面に施錠部３ｆを設けることができ、その施錠部３ｆに鍵を挿入して施錠すると、特定の引出部は二重にロックされるので極めて高いセキュリティ性を確保できる。
【００３２】
本実施形態のロック装置は図７に示す収容体１のいずれの段に設けることもできる。また前記特定の引出部２と他の引出部３との組み合わせ数も任意に設定できる。収容体１を使用中に任意の段にロック装置を追加または削除できるようにすることもでき、その場合には各段のロック装置を装脱着可能にしておく。
【００３３】
図８は本発明に係る引出部ロック装置の他の実施形態を示す正断面図、図９は図８のＡ−Ａ断面図、図１０は図８のＢ−Ｂ断面図、図１１はロック機構１２を構成する駆動体１４の部分斜視図、図１２は図１０の部分斜視図である。なおこれら図面において、前記図１〜図７の例と同じ部分には同一符号を付し、重複する説明は省略する。（以下の各実施形態もすべて同様である。）
【００３４】
本実施形態は他の引出部の移動操作に連動して複数並設した特定の引出部のロックおよびその解除をワンタッチで一斉に且つ自動的に行うように構成したものである。本実施形態では収容体１に４段の引出部が上下方向に並設され、上から３段目までが特定の引出部２を構成し、最下段が他の引出部３を構成する。
【００３５】
ロック装置を構成するロック機構１２は、図１の例と同様に、各特定の引出部２における一方の側板２ｂの一部にそれぞれ形成した溝からなるロック溝１３と、他の引出部３の引出し又は押し込み等の移動操作により昇降駆動する細長い板状の駆動体１４と、駆動体１４の上部から所定間隔で横方向に突出する短円柱状のダボからなる複数（本実施形態では３つ）の挿入部１５を備えている。また駆動体１４の下部には前記挿入部１５と同様な摺動部１６が横方向に水平に突出している。
【００３６】
図８に示すように、帆立７には３つの収容領域１０と１つの収容領域１１を跨るように上下方向に延長する細長い移動溝１７が形成され、その移動溝１７の上部の３箇所に前記した３つのロック溝１３が連通している。また他の引出部３における一方の側板３ｂに形成された略稲妻型に湾曲する細長い摺動溝１９が前記ロック溝１３の下部に連通する。そして摺動溝１９に前記摺動部１６が挿入されている。
【００３７】
次に、上記ロック機構１２の作用を説明する。先ず他の引出部３が押し込み状態の位置にあるときは、駆動体１４から突出する摺動部１６が摺動溝１９の上方に湾曲した部分に挿入しているので、摺動部１６は上方に持ち上げられている。そして駆動体１４から横方向に突出する各挿入部１５が前記各ロック溝１３に挿入されるので、各特定の引出部２の引出操作はすべて自動的にロックされる。
【００３８】
次に他の引出部３をある程度引き出す操作（一方向への操作）を行うと、前記摺動部１６は摺動溝１９の下方に湾曲した部分に挿入した状態に移って下降する。するとその挿入部１５が前記ロック溝１３から離脱するので、各特定の引出部２のロックが自動的に同調して解除される。なお駆動体１４が下降するときは、その下端が地板４に形成した凹溝２０内に挿入される。各挿入部１５は駆動体１４に対してねじ込み等により着脱自在とすることができる。このようにすると、特定の引出部２のいずれかに対応する挿入部１５を駆動体１４から離脱した状態とすることができ、その特定の引出部２はロックが掛からない。なお再びロック状態とするには他の引出部３を押込む方向へ操作（他方向へ操作）をすればよい。
【００３９】
本実施形態では、使用途中である特定の引出部２へのロック連携を解除または追加するために、図８に示すように天板９がヒンジ機構を使用して開閉自在に構成されている。そして天板９を上方に開けた状態で駆動体１４を上方に引き抜き、所定位置に挿入部１５を装着し、またはそれから離脱することができる。なお天板９を開閉式とする場合は、天板９に施錠装置を取りつけることが望ましい。
【００４０】
上記のように、特定の引出部２は他の引出部３の引出操作により作動するロック機構１２でロックされるので、高いセキュリティ性を確保できる。さらに所望により、図８に示すように各特定の引出部２の前面に施錠部２ｆを設けることができ、その施錠部２ｆに鍵を挿入して施錠することにより特定の引出部２は二重にロックされるので、極めてセキュリティ性の高い特定の引出部を構成できる。
【００４１】
図１３は本発明に係る引出部ロック装置のさらに他の実施形態を示す正断面図、図１４は図１３のＡ−Ａ断面図、図１５は図１３のＢ−Ｂ断面図、図１６は図１３のＣ−Ｃ断面図、図１７は民芸調家具からなる収容体１の側面図である。
【００４２】
本実施形態は図１〜図７の変形例である。ロック装置を構成するロック機構１２は、他の引出部３の移動操作により特定の引出部２が自動的にロックまたはその解除ができるように構成したものである。本実施形態では図１７に示すように、収容体１は図７と同様に構成され、その最上部に特定の引出部２が配置され、その下側に３段の他の引出部３が配置される。
【００４３】
図１６に示すように、ロック機構１２は特定の引出部２の底板２ｄ裏面に形成したロック溝１３と、他の引出部３の引出しまたは押し込み等の移動操作により昇降駆動する細長い棒状の駆動体１４と、駆動体１４の上部に設けた挿入部１５を備えている。そして、他の引出部３の側板３ｂの上線面に当接する駆動体１４の下端は、斜めに切断した形状になっている。
【００４４】
特定の引出部２を収容する収容領域１０は上下の棚板８、裏板６および一対の帆立７で構成され、下方の棚板８に移動溝１７が形成される。そして移動溝１７の下部に棚板８の下面部から延長したフランジ部２１が設けられ、そのフランジ部２１内方の開放部は前記挿入部１５の幅より僅かに小さく形成されている。さらに特定の引出部２のすぐ下側の他の引出部３には、その一方の側板３ｂにおける後部上縁（すなわち先側板３ｃに近い部分の上縁）に、斜め後方に向かって下降傾斜する摺動面１８が形成されている。
【００４５】
次にロック機構１２の作用を説明する。先ず他の引出部３が押し込み状態の位置にあるときは、他の引出部３における側板３ｂの水平な上縁面が駆動体１４の下端に接触し、駆動体１４を持ち上げた状態になっている。その状態では駆動体１４に設けた挿入部１５が前記ロック溝１３に挿入されるので、特定の引出部２の引出操作が自動的にロックされる。
【００４６】
次に、他の引出部３をある程度引き出す方向へ操作（一方向へ操作）すると、前記駆動体１４の下端は前記側板３ｂの水平な上縁面との接触から下降傾斜する摺動面１８との接触状態に移り、それによって駆動体１４は下降する。すると挿入部１５が前記ロック溝１３から離脱するので、特定の引出部２のロックが自動的に解除される。なお他の引出部３を収容体１から完全に引き抜いた場合は、駆動体１４が収容領域１１内に下降するが、それに設けた挿入部１５がフランジ部２１に掛け止められるので収容領域１１内に落下することはない。なお再びロック状態とするには他の引出部３を押込む方向へ操作（他方向へ操作）すればよい。
【００４７】
本実施形態においても、所望により、図１３に示すような施錠部３ｆを他の引出部３の前面に設けることができ、その施錠部３ｆに鍵を挿入して施錠することにより特定の引出部２は二重にロックされるので、極めてセキュリティ性の高い特定の引出部２を構成することができる。
【００４８】
図１８は本発明に係る引出部ロック装置のさらに他の実施形態を示す正断面図、図１９は図１８のＡ−Ａ断面図、図２０は図１８のＢ−Ｂ断面図、図２１は図１８の斜視図、図２２は民芸調家具からなる収容体１の側面図である。
【００４９】
本実施形態では収容体１の中間部における水平な２つの棚板８の間に３つの引出部が仕切板２２を介して横方向に並設され、そのうち両側の２つの引出部が特定の引出部２を構成し、中央の引出部が他の引出部３を構成する。ロック装置を構成するロック機構１２は、中央に位置する他の引出部３の移動操作により両側に位置する２つの特定の引出部２が連動して自動的にロックまたはロック解除できるように構成されている。
【００５０】
本実施形態におけるロック機構１２は、各特定の引出部２における底板２ｄに形成したロック溝１３と、棚板８に形成した横方向の細長い挿入溝２３と、挿入溝２３に配置した左右両側上部に挿入部１５を有する細長い駆動体１４とからなり、駆動体１４の２つの挿入部１５は各ロック溝１３内に挿入できるようになっている。
【００５１】
駆動体１４はコイル状のバネ体３８を介して挿入溝２３に装着され、そのバネ体３８の伸縮作用により棚板８に対し昇降自在になっている。さらに駆動体１４の中央における他の引出部３の底板３ｄに相当する部位上面には、他の引出部３の前面側から裏側に向かって上昇する傾斜面が形成され、それに対応してロック溝１３の上内面も傾斜面が形成されている。
【００５２】
次に上記ロック機構１２の作用を説明する。先ず他の引出部３が正常な位置、すなわち収容体１の前面に他の引出部３における前板３ａの前面が一致した状態にあるときは、図２０に示すように、両挿入部１５が２つの特定の引出部２におけるロック溝１３に挿入された状態になっており、それによって各特定の引出部２の引出操作は自動的にロックされる。
【００５３】
次に、図２１のように他の引出部３を奥の裏板６に接触するまで押し込む方向へ操作（一方向へ操作）すると、前記ロック溝１３の傾斜面によって挿入部１５がバネ体の張力に逆らって挿入溝２３内に引っ込み、特定の引出部２のロックが自動的に解除される。なお本実施形態においても、所望により図１８に示すような施錠部３ｆを他の引出部３の前面に設けることができ、その施錠部３ｆに鍵を挿入して施錠することにより特定の引出部２は二重にロックされるので、極めてセキュリティ性の高い特定の引出部２を構成することができる。なお再びロック状態とするには他の引出部３を押込む方向へ操作（他方向へ操作）すればよい。
【００５４】
図２３は本発明に係る引出部ロック装置のさらに他の実施形態を示す正断面図、図２４は図２３のＡ−Ａ断面図、図２５は図２３のＢ−Ｂ断面図、図２６は図２４に示すＤの部分拡大斜視図、図２７は図２６に示す駆動体１４とそれに設けた挿入部１５の拡大斜視図である。
【００５５】
本実施形態では民芸調家具からなる収容体１の最上段に２つの引出部が仕切板２２を介して横方向に並設され、左側が特定の引出部２を構成し右側が他の引出部３を構成する。ロック装置を構成するロック機構１２は、他の引出部３の移動操作により特定の引出部２を手動的にロックまたはその解除をできるように構成される。
【００５６】
前記ロック機構１２は、特定の引出部２に形成されたロック溝１３と、前記収容体１における特定の引出部２の収容領域１０と他の引出部３の収容領域１１に跨って配置された駆動体１４と、駆動体１４の端部に設けた挿入部１５を有している。そして特定の引出部２における底板２ｄ、側板２ｂ、仕切板２２および底板２ｄ直下の棚板８と、他の引出部３における底板３ｄ直下の棚板８との間に跨って、左右方向に延長する細長い移動溝１７が形成され、その移動溝１７に駆動体１４が配置される。
【００５７】
図２７に示すように、駆動体１４と挿入部１５は細長い直方体のブロック体を図示のように３段に加工して作られ、最も高い部分が挿入部１５を構成し、最も低い部分が操作部１４ａを構成する。そして操作部１４ａは指を掛けて駆動体１４を移動操作するためのものである。
【００５８】
次に上記ロック機構１２の作用を説明する。先ず他の引出部３が押し込まれた状態にあるときは、図２４，図２５に示すように、挿入部１５が特定の引出部２におけるロック溝１３に挿入された状態になっており、それによって特定の引出部２の引出操作は自動的にロックされる。そしてロック機構は他の引出部３により隠された状態であるから外部からは認識できない。
【００５９】
次に、他の引出部３を収容体１から完全に引き抜くと、その開いた収容領域１１に外部から手を差し込めるようになる。そこで収容領域に手を差し込んで操作部１４ａに指を掛け、挿入部１５の外側端が少なくとも仕切板２２に入り込むか、他の引出部３の収容領域１１側に入り込むように操作すると、特定の引出部２のロックが解除される。またこの状態から特定の引出部２をロック状態にするには、逆に駆動体１４を特定の引出部２の領域１０側に押し込めばよい。
【００６０】
本実施形態においても所望により、図２３に示すように施錠部３ｆを他の引出部３の前面に設けることができ、その施錠部３ｆに鍵を挿入して施錠することにより特定の引出部２は二重にロックされる。そのため特定の引出部２のセキュリティ性を極めて高いものとすることができる。
【００６１】
図２８は本発明に係る引出部ロック装置のさらに他の実施形態を示す正断面図、図２９は図２８のＡ−Ａ断面図、図３０は図２８のＢ−Ｂ断面図、図３１は図３０のロック機構１２の部分拡大斜視図である。
【００６２】
本実施形態では収容体１の中間部における水平な２つの棚板８の間に２つの引出部が仕切板２２を介して横方向に並設され、左側が特定の引出部２を構成し右側が他の引出部３を構成する。ロック装置を構成するロック機構１２は、他の引出部３の移動操作により特定の引出部２を手動的にロックまたはロック解除できるように構成される。
【００６３】
図２９に示すように、特定の引出部２の平面積は他の引出部３の平面積より小さくなっている。しかしそれらの収容領域１０と前記収容領域１１の平面積は同じである。すなわち後述するように、特定の引出部２は前後左右にスライドさせて外部に取り出すようになっており、そのスライドを可能にする分だけ特定の引出部２の平面積より収容領域１０が大きくなっている。そして収納領域１０の前面側は遮蔽板２４で閉鎖される。
【００６４】
特定の引出部２における底板２ｄには図２９に点線で示すようなコ字型の細長いガイド溝２５が２本形成される。また特定の引出部２を収容する収容領域１０を構成する棚板８の２箇所にダボ状で且つ高さの小さい掛合部２６が上方に立設している。そしてガイド溝２５に掛合部２６を掛合させることにより特定の引出部２を棚板８上に配置できるようになっている。なおガイド溝２５と掛合部２６は１組みでもよく、またガイド溝２５の形状は任意に設定できる。
【００６５】
図３０、図３１に示すように、収容領域１０の前側に近い棚板８上に細長い溝部を形成した閂差し錠ガイド体２７が固定され、その閂差し錠ガイド体２７の溝部に閂差し錠２８の段差部がスライド自在に掛合し、閂差し錠２８の後方端が特定の引出部２の縁部に形成した切込部２９に差し込まれて特定の引出部２の前後移動がロックされる。なお閂差し錠２８は前記図１等の実施形態における駆動体１４とそれに設けた挿入部１５の機能を有する。
【００６６】
そしてロック装置を構成するロック機構１２は、前記ガイド溝２５、掛合部２６、閂差し錠ガイド体２７および閂差し錠２８により構成される。なお特定の引出部２の側板２ｂおよび前板２ａには移動操作時に指を挿する引手穴３０が形成される。また他の引出部３の前面にはヒンジ機構で開閉自在とされた開閉扉３１が設けられ、その開閉扉３１の前面には引手３２が設けられる。
【００６７】
次に上記ロック機構１２の作用を説明する。他の引出部３が押し込まれた状態にあるときは、特定の引出部２は遮蔽板２４により隠されて外部から識別できない。またロック機構１２も他の引出部３で覆われているので認識できない。そして図２８に示すように他の引出部３の前面に設けた施錠部３ｆで施錠することにより、特定の引出部２は二重にロックされるので、極めてセキュリティ性の高い特定の引出部２を構成することができる。
【００６８】
上記ロックを解除して特定の引出部２を外部に取り出すには、先ず開閉扉３１を開けて他の引出部３を収容体１から完全に引き出す。次に他の引出部３の収容領域１１から手を差し込み、閂差し錠２８をスライドして閂差し錠ガイド体２７と特定の引出部２の切込部２９から取り出す。これによって特定の引出部２は前方向へのロックを解除されて移動自在になる。
【００６９】
次に特定の引出部２における側板２ｂに形成した引手穴３０に指を掛け、特定の引出部２をガイド溝２５に沿って先ず左側へ押込んでから前方へ移動させた後、右側へ引き抜いて収容領域１１に引き出す。次に前板２ａに形成した他の引手穴３０に指を掛け、特定の引出部２を収容領域１１から前方に取り出す。これら一連の操作により特定の引出部２をロック解除して取り出すことができる。なお特定の引出部２を基の位置に収納して移動をロックするには上記手順と逆の操作をすればよい。
【００７０】
図３２は本発明に係る引出部ロック装置のさらに他の実施形態を示す正断面図、図３３は図３２のＡ−Ａ断面図、図３４は図３２のＢ−Ｂ断面図、図３５は図３２のロック機構の部分拡大図、図３６は図３５のロック機構１２の挿入部１５を特定の引出部２の収容領域１０から見た部分斜視図、図３７は図３５のロック機構１２の駆動体１４部分を示す部分斜視図である。
【００７１】
本実施形態では収容体１の棚板８を挟んで上側に特定の引出部２が配置され、下側に他の引出部３が配置されている。ロック装置を構成するロック機構１２は、前記棚板８に設けた移動溝１７、帆立７に設けた切欠部、特定の引出部２に形成されたロック溝１３、駆動体１４およびその駆動体１４に設けた挿入部１５を有する。
【００７２】
図３５、３７に示すように、駆動体１４は細長いブロック状に形成され、その一方の端部に角柱状の挿入部１５が垂直に立設され、他方の端部に細長い操作部１４ａが挿入部１５とは逆方向に垂下される。駆動体１４は移動溝１７に配置される。この移動溝１７は、他の引出部３と特定の引出部２を仕切る棚板８に形成した切欠部から収容領域１０を構成する帆立７に形成した切欠部まで延長する。
【００７３】
次に上記ロック機構１２の作用を説明する。図３２のように他の引出部３が収容体１に押し込まれた状態では、ロック機構１２は外部から認識できない。そしてロック機構１２の挿入部１５はロック溝１３に挿入されている場合は、特定の引出部２がロック状態になる。その状態で他の引出部３の前面に設けた施錠部３ｆを施錠することにより、特定の引出部２は二重にセキュリティが掛かる。
【００７４】
特定の引出部２のロックを解除するには、先ず他の引出部３を収容体１から引き抜き、次に空間となった収容領域１１に手を入れて駆動体１４の操作部１４ａを図３５の左方向に押し込む。すると駆動体１４に設けた挿入部１５がロック溝１３から離脱し、特定の引出部２のロックが解除されるので、特定の引出部２を引き出すことができる。また特定の引出部２をロック状態にするには上記と逆の手順で操作すればよい。
【００７５】
図３８は本発明に係る引出部ロック装置のさらに他の実施形態を示す正断面図、図３９は図３８のＡ−Ａ断面図、図４０は図３８に示すカバー体３４と開閉扉３１を開けた状態を示す正面図、図４１は図３８のＢ−Ｂ断面図、図４２は図３８に示すカバー体３４をスライドさせた状態を示す斜視図である。
【００７６】
本実施形態では、収容体１における上下２枚の棚板８の間に４つの引出部が左右夫々２段に並設され、左側の上下２段が特定の引出部２を構成し、右側の上下２段が他の引出部３を構成する。そして２つの他の引出部３における前面にはヒンジ機構で開閉する開閉扉３１が設けられ、その開閉扉３１の前面に引手３２と施錠部３３が配置される。また２つの特定の引出部２における前面側にはスライド可能な格子状のカバー体３４が設けられる。なおカバー体３４は格子状以外に意匠性のよい他の形状であってもよい。
【００７７】
２つの特定の引出部２と２つの他の引出部３は互いに仕切板２２で仕切られて分離されている。そして仕切板２２の前側に設けたスペースに細長い駆動体１４が設けられる。駆動体１４はその軸方向両端部に形成した中空部に棚板８に設けた軸３５（図３８参照）を挿入することによって、該棚板８に回転可能に支持される。なお駆動体１４の側部には軸方向に沿って断面コ字型の細長い係止溝１４ｃが形成されている。
【００７８】
前記カバー体３４はその左右の縁部に沿って突状３４ａが設けられ、一方の突状３４ａが駆動体１４の係止溝１４ｃに係止され、他方の突状３４ａが図３９に示すように帆立７に形成した断面コ字型の溝部７ｃに係止される。そして駆動体１４が図３９の状態にあるときは、カバー体３４はその左右端部を駆動体１４の係止溝１４ｃと帆立７に形成した溝部７ｃに係止されて移動または取外しを阻止される。
【００７９】
本実施形態では図３９，図４１に示すように、下段の特定の引出部２は上段の特定の引出部２より引出方向の長さが短くなっており、その前側に他の部材３９を構成する着脱可能な別の遮蔽体３７が設けられる。そしてこの遮蔽体３７の表面に引手３７ａが設けられる。遮蔽体３７の着脱は別のロック機構４０によりロックされる。別のロック機構４０は特定の引出部２を挟む帆立７と仕切板２２に設けられた一対の断面コ字型の細長い係止溝４１と、一方の係止溝４１内に配置した板バネ等のバネ体３８を有し、前記遮蔽体３７の一方の端部は係止溝４１に直接係止され、他方の端部はバネ体３８を介して係止される。そして遮蔽体３７を横に押圧し、その一方の端部を前記バネ体３８に押し付けることにより、遮蔽体３７を係止溝４１から離脱して収容体１より取り外すことができ、または逆の操作により遮蔽体３７を係止溝４１に装着できる。
【００８０】
次に上記ロック機構１２の作用を説明する。図３８の状態では、他の引出部３および特定の引出部２はともに所定位置に押し込まれており、２つの特定の引出部２はカバー体３４で覆われ、そのカバー体３４を他の引出部３側にスライドしなければ引き出せない。しかもカバー体３４は他の引出部３の前側に配置した開閉扉３１によって駆動体１４の回転がロックされているので、駆動体１４に係止されているカバー体３４は移動または取外しができない。そのため特定の引出部２は極めて高いセキュリティが確保される。
【００８１】
そして他の引出部３の前側に設けた開閉扉３１の施錠部３３を施錠することにより、２つの特定の引出部２は二重にセキュリティが確保される。また本実施形態のように下段に配置した特定の引出部２の前側にさらにロックされた遮蔽体３７を設け場合には、下段の特定の引出部２は三重のセキュリティが確保される。
【００８２】
次に特定の引出部２を引き出す場合は、先ず他の引出部３の前側に配置した開閉扉３１を開けて駆動体１４の回転ロックを解除する。次に駆動体１４を図４０の矢印方向に回転してカバー体３４の係止を解除した後、カバー体３４を他の引出部３側に移動または取り外しする。そして、この一連の操作により特定の引出部２は引出可能になる。
【００８３】
図４３は本発明に係る引出部ロック装置のさらに他の実施形態を示す正面図、図４４は図４３のＡ−Ａ断面図、図４５は図４３のＢ−Ｂ断面図、図４６は図４４のＥ部分の拡大断面図である。本実施形態は前記した図３９に示す他の部材３９を構成する遮蔽体３７によるセキュリティ確保の技術と同じ考え方に基づいている。
【００８４】
本実施形態と図３９の例と異なる部分は、図３９の例が他の部材３９を構成するカバー体３４と遮蔽体３７との二重保護構造であるのに対し、本実施形態は他の部材３９を構成する遮蔽体３７のみによる保護構造である点にあり、構造的には簡単化されている。特定の引出部２は収容体１における上下の棚板８間に配置され、その前側に遮蔽体３７が設けられる。そして遮蔽体３７はその左右両端部が収容体１の帆立７に着脱自在に装着される。
【００８５】
すなわち特定の引出部２の両側に位置する帆立７には上下方向に断面コ字型の細長い係止溝４１が形成され、一方の係止溝４１には板バネや複数のコイルバネ等のバネ体３８が固定される。遮蔽体３７の一方の端部はバネ体３８を介して一方の係止溝４１に係止され、他方の端部はそのまま他方の係止溝４１に係止される。そして両係止溝４１とバネ体３８により本発明のロック機構１２が構成される。なお図４６はバネ体３８を介して遮蔽体３７の端部を係止している状態である。
【００８６】
次に上記ロック機構１２の作用を説明する。図４５に示す状態では特定の引出部２はその前側が遮蔽体３７で覆われているので引き出すことができない。そのため特定の引出部２はロック状態になっておりそのセキュリティが確保される。次にそのロック状態を解除するには、先ず遮蔽体３７をバネ体３８方向に押圧し、バネ体３８を圧縮させる。すると遮蔽体３７が同方向に移動し、反対側の端部と係止溝４１との係止が解除され、遮蔽体３７を取外すことができる。遮蔽体３７を取り外すと特定の引出部２のロックが解除され、それを前方へ引き出すことが可能になる。
【００８７】
図４７は本発明に係る引出部ロック装置のさらに他の実施形態を示す正面図、図４８は図４７のＡ−Ａ断面図、図４９は図４７のＢ−Ｂ断面図、図５０は図４７の第１の収容体１と他の引出部３を収容した第２の収容体を組み合わせた家具の斜視図、図５１は図５０のＥ部分の拡大斜視図である。
【００８８】
本実施形態では図５０に示すように、引出部を３段に重ねた第１の収容体１と、引出部を３段に重ねた第２の収容体１とを横に並設し、それら収容体１、１の上側を共通の天板９で支持し、底部を地板４で支持してより大きな収容体である家具５０を構成している。なお、第２の収容体１の３段の引出部は全て他の引出部３であり、それらは一体として図示しない回転支持部により天板９と地板４に回転自在に支持される。
【００８９】
図４７〜図４９は第１の収容体１であり、棚板８、裏板６および帆立７により構成される。第１の収容体１には上側の第１の引出部５１と下側の第２の引出部５２との組み合わせからなる特定の引出部２と、前記第１の引出部５１と第２の引出部５２に挟まれた中段に他の引出部３が収容される。
【００９０】
特定の引出部２を構成する第１の引出部５１は、前板２ａ、側板２ｂ、先側板２ｃ、区分け板２ｇおよび可動底板２ｈを有し、前板２ａに引手２ｅが設けられ、可動底板２ｈはヒンジ機構で底板２ｄに連結されるが側板２ｂおよび先側板２ｃには連結されない。また特定の引出部２を構成するもう一方の第２の引出部５２は、その前板２ａに引手２ｅが設けられているが、内部に設けた係止手段５２ａにより引出操作が不可能になった一種のカモフラージュ引出となっている。そして第２の引出部５２における奥行き方向の長さは第１の引出部５１の区分け板２ｇまでの長さより長くなっており、その内部奥側に斜傾板５３が設けられ、さらに第２の収容体１側の側板２ｂには開口部５４ａが形成されている。
【００９１】
側板２ｂの開口部５４ａの位置に対応して帆立７にもそれに一致する開口部５４ｂが形成され、それら両開口部により取出部５４が形成され、その取出部５４に回転自在な開閉蓋５５（図５１）が設けられる。一方、第１の引出部５１と第２の引出部５２に挟まれた他の引出部３は通常の引出可能な引出部であるが、その奥行き方向の長さは第１の引出部５１の区分け板２ｇの位置と同じか短くなっている。そして上記特定の引出部２を構成する第２の引出部５２の開閉蓋５５と回転自在な第２の収容体１の組み合わせにより、特定の引出部２のロック機構５６が形成される。
【００９２】
次に上記ロック機構５６の作用を説明する。特定の引出部２を構成する第１の引出部５１を引き出し、その区分け板２ｇより後方の可動底板２ｈの上に貴重品等の収容物を入れてから所定位置まで押し込むと、可動底板２ｈの下方には棚板８が存在しないので、可動底板２ｈは矢印のように回転し、収容物は重力により第２の引出部５２に落下してその中に収容される。そして第２の引出部５２に設けた傾斜板５３の作用により、第２の引出部５２に落下した収容物は取出部５４の位置にスムーズに誘導される。
【００９３】
第２の引出部５２は前記のように引出操作が不可能に構成されており、その中の収容物は前側では認識できない位置にある取出部５４だけから取出せる。そこで図５０に示す右側の第２の収容体１を図示のように回転すると、前記取出部５４の開閉蓋５５が露出するので、開閉蓋５５を図５１のように回転して開けることにより、第２の引出部５２に収容された収容物を外部に取り出すことができる。
【００９４】
このように本実施形態では、第１の引出部５１の区分け板２ｇより後方に入れた収納物は、第２の引出部５２に自動的に移動し、第２の収容体を回転して開閉蓋５５を回転できるようにして初めて外部に取出せる。そのため特定の引出部２のセキュリティ性は極めて高く、カラクリ性にも優れている。
【００９５】
以上の各実施形態は収容物として民芸調家具を中心に説明しているが、本発明はこれに限定されるものではなく、他のセキュリティ性等を要求される屋外設置の収容体、イベント会場にイベント用として設置する収容体、オフィス用家具などにも適用できる。
【産業上の利用可能性】
【００９６】
本発明の引出部ロック装置は、民芸調家具その他の収容体に設けた引出部に利用できる。
【図面の簡単な説明】
【００９７】
【図１】本発明に係る引出部ロック装置の実施形態を示す正断面図。
【図２】図１のＡ−Ａ断面図。
【図３】図１のＢ−Ｂ断面図。
【図４】図３の部分斜視図。
【図５】ロック機構を構成する駆動体の斜視図。
【図６】民芸調の家具の１例を示す正面図。
【図７】図６の側面図。
【図８】本発明に係る引出部ロック装置の他の実施形態を示す正断面図。
【図９】図８のＡ−Ａ断面図。
【図１０】図８のＢ−Ｂ断面図。
【図１１】ロック機構１２を構成する駆動体１４の部分斜視図。
【図１２】図１０の部分斜視図。
【図１３】本発明に係る引出部ロック装置のさらに他の実施形態を示す正断面図。
【図１４】図１３のＡ−Ａ断面図。
【図１５】図１３のＢ−Ｂ断面図。
【図１６】図１３のＣ−Ｃ断面図。
【図１７】民芸調家具からなる収容体１の側面図。
【図１８】本発明に係る引出部ロック装置のさらに他の実施形態を示す正断面図。
【図１９】図１８のＡ−Ａ断面図。
【図２０】図１８のＢ−Ｂ断面図。
【図２１】図１８の斜視図。
【図２２】民芸調家具からなる収容体１の側面図。
【図２３】本発明に係る引出部ロック装置のさらに他の実施形態を示す正断面図。
【図２４】図２３のＡ−Ａ断面図。
【図２５】図２３のＢ−Ｂ断面図。
【図２６】図２４に示す部分Ｄの部分拡大斜視図。
【図２７】図２６に示す駆動体１４とそれに設けた挿入部１５の拡大斜視図。
【図２８】本発明に係る引出部ロック装置のさらに他の実施形態を示す正断面図。
【図２９】図２８のＡ−Ａ断面図。
【図３０】図２８のＢ−Ｂ断面図。
【図３１】図３０のロック機構１２の部分拡大斜視図。
【図３２】本発明に係る引出部ロック装置のさらに他の実施形態を示す正断面図。
【図３３】図３２のＡ−Ａ断面図。
【図３４】図３２のＢ−Ｂ断面図。
【図３５】図３２のロック機構の部分拡大図。
【図３６】図３５のロック機構１２の挿入部１５を特定の引出部２の収容領域１０から見た部分斜視図。
【図３７】図３５のロック機構１２の駆動体１４部分を示す部分斜視図。
【図３８】本発明に係る引出部ロック装置のさらに他の実施形態を示す正断面図。
【図３９】図３８のＡ−Ａ断面図。
【図４０】図３８に示すカバー体３４と開閉扉３１を開けた状態を示す正面図。
【図４１】図３８のＢ−Ｂ断面図。
【図４２】図３８に示すカバー体３４をスライドさせた状態を示す斜視図。
【図４３】本発明に係る引出部ロック装置のさらに他の実施形態を示す正面図。
【図４４】図４３のＡ−Ａ断面図。
【図４５】図４３のＢ−Ｂ断面図。
【図４６】図４４のＥ部分の拡大断面図。
【図４７】本発明に係る引出部ロック装置のさらに他の実施形態を示す正面図。
【図４８】図４７のＡ−Ａ断面図。
【図４９】図４７のＢ−Ｂ断面図。
【図５０】図４７の第１の収容体１と他の引出部３を収容した第２の収容体を組み合わせた家具の斜視図。
【図５１】図５０のＥ部分の拡大斜視図。
【符号の説明】
【００９８】
１    収容体
２    特定の引出部
２ａ  前板
２ｂ  側板
２ｃ  先側板
２ｄ  底板
２ｅ  引手
２ｆ  施錠部
２ｇ  区分け板
２ｈ  可動底板
３    他の引出部
３ａ  前板
３ｂ  側板
３ｃ  先側板
３ｄ  底板
３ｅ  引手
３ｆ  施錠部
４    地板
５    飾りカバー
５ａ  ステー
６    裏板
７    帆立
７ａ  切欠部
７ｃ  溝部
８    棚板
９    天板
１０，１１  収容領域
１２    ロック機構
１３    ロック溝
１４    駆動体
１４ａ  操作部
１４ｃ  係止溝
１５    挿入部
１６    摺動部
１７    移動溝
１８    摺動面
１９    摺動溝
２０    凹溝
２１    フランジ部
２２    仕切板
２３    挿入溝
２４    遮蔽板
２５    ガイド溝
２６    掛合部
２７    閂差し錠ガイド体
２８    閂差し錠
２９    切込部
３０    引手穴
３１    開閉扉
３２    引手
３３    施錠部
３４    カバー体
３４ａ  突状
３４ｂ  引手
３５    軸
３７    遮蔽体
３８    バネ体
３９    他の部材
４０    ロック機構
４１    係止溝
５０    家具
５１    第１の引出部
５２    第２の引出部
５２ａ  係止手段
５３    斜傾板
５４    取出部
５５    開閉蓋
５６    ロック機構
【図１】
2005278756.tif 000003
【図２】
2005278756.tif 000004
【図３】
2005278756.tif 000005
【図４】
2005278756.tif 000006
【図５】
2005278756.tif 000007
【図６】
2005278756.tif 000008
【図７】
2005278756.tif 000009
【図８】
2005278756.tif 000010
【図９】
2005278756.tif 000011
【図１０】
2005278756.tif 000012
【図１１】
2005278756.tif 000013
【図１２】
2005278756.tif 000014
【図１３】
2005278756.tif 000015
【図１４】
2005278756.tif 000016
【図１５】
2005278756.tif 000017
【図１６】
2005278756.tif 000018
【図１７】
2005278756.tif 000019
【図１８】
2005278756.tif 000020
【図１９】
2005278756.tif 000021
【図２０】
2005278756.tif 000022
【図２１】
2005278756.tif 000023
【図２２】
2005278756.tif 000024
【図２３】
2005278756.tif 000025
【図２４】
2005278756.tif 000026
【図２５】
2005278756.tif 000027
【図２６】
2005278756.tif 000028
【図２７】
2005278756.tif 000029
【図２８】
2005278756.tif 000030
【図２９】
2005278756.tif 000031
【図３０】
2005278756.tif 000032
【図３１】
2005278756.tif 000033
【図３２】
2005278756.tif 000034
【図３３】
2005278756.tif 000035
【図３４】
2005278756.tif 000036
【図３５】
2005278756.tif 000037
【図３６】
2005278756.tif 000038
【図３７】
2005278756.tif 000039
【図３８】
2005278756.tif 000040
【図３９】
2005278756.tif 000041
【図４０】
2005278756.tif 000042
【図４１】
2005278756.tif 000043
【図４２】
2005278756.tif 000044
【図４３】
2005278756.tif 000045
【図４４】
2005278756.tif 000046
【図４５】
2005278756.tif 000047
【図４６】
2005278756.tif 000048
【図４７】
2005278756.tif 000049
【図４８】
2005278756.tif 000050
【図４９】
2005278756.tif 000051
【図５０】
2005278756.tif 000052
【図５１】
2005278756.tif 000053